(57)【要約】【課題】  音声データと画像データを自動的に関連付けて再生を行う電子機器の制御方法および電子機器を提供する。【解決手段】  電子機器１００は、データファイルを記憶するデータ記憶部１０１と、データ記憶部１０１に記憶されているデータファイルの属性情報からデータベースファイルを作成するデータベース作成部１０２と、データ記憶部１０１に格納されているデータベースファイルからリストファイルを作成するリスト作成部１０３と、表示部１０５を駆動させる表示駆動部１０４と、音声外部出力端子１０７を介して外部音声出力機器を駆動する音源部１０６と、リスト作成部１０３の作成したリストファイルに基づいて表示駆動部１０４および音源部１０６を制御する制御部１０８とを有して概略構成されている。【選択図】    図１
2007082166.tif 000002
【特許請求の範囲】
【請求項１】
データファイルを記憶するデータ記憶部と、
前記データ記憶部に記憶されている前記データファイルの属性情報を含むデータベースファイルを作成するデータベース作成部と、
前記データベースファイルから前記属性情報に基づいて分類された複数のリストファイルを作成するリスト作成部と、
画像を表示する表示部と、
前記表示部を駆動する表示駆動部と、
音声出力機器を介して音声を再生する音源部と、
前記リストファイルに基づいて前記表示駆動部および前記音源部を制御する制御部と、
を有することを特徴とする電子機器。
【請求項２】
前記データファイルは、音声データおよび画像データであることを特徴とする請求項１に記載の電子機器。
【請求項３】
音声データおよび画像データの属性情報を含むデータベースファイルを作成する第１のステップと、
前記データベースファイルから前記属性情報に基づいて分類された複数のリストファイルを作成する第２のステップと、
前記リストファイルに基づいて自動的に前記音声データおよび画像データを関連付け、同時に再生を行う第３のステップと、
を有することを特徴とする電子機器の制御方法。
【請求項４】
前記画像データは、前記リストファイルに基づいて連続的にスライドショー表示されることを特徴とする請求項３に記載の電子機器の制御方法。
【請求項５】
前記音声データは、前記リストファイルに基づいて連続的にプレイリスト再生されることを特徴とする請求項３に記載の電子機器の制御方法。
【請求項６】
前記音声データは、前記リストファイルに基づいて連続的にプレイリスト再生され、
前記画像データは、前記リストファイルに基づいて連続的にスライドショー表示され、
前記プレイリスト再生を行っている前記音声データが次の前記音声データに切り替わる際に、前記スライドショー再生を行っている画像データが次の画像データに切り換わることを特徴とする請求項３に記載の電子機器の制御方法。
【請求項７】
前記画像データは、前記リストファイルに基づいて連続的にスライドショー表示され、
再生を行っている前記音声データの出力レベルが設定された時間内に設定された以上の変化量をもって変化した際に、前記スライドショー再生を行っている画像データが次の画像データに切り換わることを特徴とする請求項３に記載の電子機器の制御方法。
【請求項８】
前記スライドショー再生を行っている画像データの画像切り換えの際の表示効果を、再生を行っている前記音声データの前記出力レベルの前記変化量の大きさに伴って、変化させることを特徴とする請求項３に記載の電子機器の制御方法。
【請求項９】
前記音声データは楽曲のデータであって、前記音声データの前記属性情報は前記楽曲のリリースされた日付であり、
前記画像データは写真のデータであって、前記画像データの前記属性情報は前記写真の撮影された日付であることを特徴とする請求項２または３に記載の電子機器の制御方法。
【発明の詳細な説明】
【技術分野】
【０００１】
本発明は、音声データの再生と画像データの表示を行う電子機器の制御方法および電子機器に関する。
【背景技術】
【０００２】
近年、携帯型電子機器において、楽曲等の音声データの再生機能と、写真等の画像データの表示機能を併せ持つ製品が開発されている。一般に、このような携帯型電子機器によれば、任意の音声を再生させながら、任意の画像を表示させることができる。
【０００３】
また、このような携帯型電子機器に適用可能な技術として、音声の再生と画像の表示を単に同時に行うだけでなく、特定の音声データと画像データを関連付けて、画像データを表示する際に対応する音声データを自動で再生するという電子機器の制御方法が報告されている（例えば、特許文献１参照）。
【特許文献１】特開２０００−１８２３１１号公報
【発明の開示】
【発明が解決しようとする課題】
【０００４】
しかし、特許文献１に記載の技術によると、音声データと画像データ同士の関連を示すリストファイルをユーザーが手動で作成する必要があり、関連付けを行う度に、手間と時間を費やさなければならないという問題点があった。
【０００５】
従って、本発明の目的は、音声データと画像データを自動的に関連付けて再生を行う電子機器の制御方法および電子機器を提供することである。
【課題を解決するための手段】
【０００６】
本発明の第１の態様は、上記目的を達成するため、データファイルを記憶するデータ記憶部と、前記データ記憶部に記憶されている前記データファイルの属性情報を含むデータベースファイルを作成するデータベース作成部と、前記データベースファイルから前記属性情報に基づいて分類された複数のリストファイルを作成するリスト作成部と、画像を表示する表示部と、前記表示部を駆動する表示駆動部と、音声出力機器を介して音声を再生する音源部と、前記リストファイルに基づいて前記表示駆動部および前記音源部を制御する制御部と、を有することを特徴とする電子機器を提供する。
【０００７】
前記データファイルは、音声データおよび画像データを用いることができる。
【０００８】
また、本発明の他の一態様は、上記目的を達成するため、音声データおよび画像データの属性情報を含むデータベースファイルを作成する第１のステップと、前記データベースファイルから前記属性情報に基づいて分類された複数のリストファイルを作成する第２のステップと、前記リストファイルに基づいて自動的に前記音声データおよび画像データを関連付け、同時に再生を行う第３のステップと、を有することを特徴とする電子機器の制御方法を提供する。
【０００９】
上記本発明の一態様に係る電子機器の制御方法および電子機器によれば、各音声データおよび各画像データの有する属性情報に基づいて、特定の音声データと画像データを自動的に関連付けることにより、ユーザーが手を加えることなく、自動的に関連のある音声データと画像データを同時に再生し、鑑賞することが可能となる。
【００１０】
前記画像データは、前記リストファイルに基づいて連続的にスライドショー表示されることができる。
【００１１】
前記音声データは、前記リストファイルに基づいて連続的にプレイリスト再生されることができる。
【００１２】
前記プレイリスト再生を行っている前記音声データが次の前記音声データに切り替わる際に、前記スライドショー再生を行っている画像データが次の画像データに切り換わることができる。
【００１３】
再生を行っている前記音声データの出力レベルが設定された時間内に設定された以上の変化量をもって変化した際に、前記スライドショー再生を行っている画像データが次の画像データに切り換わることができる。また、前記スライドショー再生を行っている画像データの画像切り換えの際の表示効果を、再生を行っている前記音声データの前記出力レベルの前記変化量の大きさに伴って、変化させることができる。これにより、画像データを単調に切り換えるのではなく、音声データ毎に、それぞれの再生進行にリンクしたスライドショー表示を行うことができる。
【００１４】
前記音声データは楽曲のデータであって、前記音声データの前記属性情報は前記楽曲のリリースされた日付であり、前記画像データは写真のデータであって、前記画像データの前記属性情報は前記写真の撮影された日付であってもよい。なお、前記日付において、前記リストファイルの作成に利用されるのは、年、月、日等のうち、いずれであってもよい。
【発明の効果】
【００１５】
本発明によれば、音声データと画像データを自動的に関連付ける電子機器の制御方法および電子機器を提供することができる。
【発明を実施するための最良の形態】
【００１６】
〔第１の実施の形態〕
（電子機器の構成）
図１は、本発明の第１の実施の形態に係る電子機器の構成を示すブロック図である。
【００１７】
この電子機器１００は、データファイルを記憶するデータ記憶部１０１と、データ記憶部１０１に記憶されているデータファイルの属性情報からデータベースファイルを作成するデータベース作成部１０２と、データ記憶部１０１に記憶されているデータベースファイルからリストファイルを作成するリスト作成部１０３と、表示部１０５を駆動させる表示駆動部１０４と、音声外部出力端子１０７を介して外部音声出力機器を駆動する音源部１０６と、リスト作成部１０３の作成したリストファイルに基づいて表示駆動部１０４および音源部１０６を制御する制御部１０８とを有して概略構成されている。
【００１８】
データ記憶部１０１は、ＤＶＤ、ＣＤ、ハードディスク、半導体メモリ等を用いることができ、ＵＳＢ（Ｕｎｉｖｅｒｓａｌ  Ｓｅｒｉａｌ  Ｂｕｓ）インターフェース等を介して外部からデータを入力してもよい。
【００１９】
データベース作成部１０２は、データ記憶部１０１に記憶されているデータファイルの属性情報からデータベースファイルを作成し、データ記憶部１０１に格納する。
【００２０】
データファイルは、ＭＰ３（ＭＰＥＧ−１  Ａｕｄｉｏ  Ｌａｙｅｒ  ３）、ＷＭＡ（Ｗｉｎｄｏｗｓ(登録商標)  Ｍｅｄｉａ  Ａｕｄｉｏ）、ＷＡＶＥ規格等の音声データ、ＪＰＥＧ（Ｊｏｉｎｔ  Ｐｈｏｔｏｇｒａｐｈｉｃ  Ｅｘｐｅｒｔｓ  Ｇｒｏｕｐ）、ＰＮＧ（Ｐｏｒｔａｂｌｅ  Ｎｅｔｗｏｒｋ  Ｇｒａｐｈｉｃｓ）、ＧＩＦ（Ｇｒａｐｈｉｃｓ  Ｉｎｔｅｒｃｈａｎｇｅ  Ｆｏｒｍａｔ）、ＢＭＰ（ＢＩＴＭＡＰ）規格等の画像データを用いることができる。
【００２１】
データファイルの属性情報は、音声データであれば、例えばＭＰ３規格のデータに含まれるＩＤ３タグと呼ばれる情報データ（曲名、アルバム名、アーティスト名、リリース年月日、音楽ジャンル等の情報を有する）を利用することができ、画像データであれば、例えばＪＰＥＧ規格のデータに含まれるＥｘｉｆ（Ｅｘｃｈａｎｇｅａｂｌｅ  Ｉｍａｇｅ  Ｆｉｌｅ  Ｆｏｒｍａｔ）情報（撮影年月日、画像解像度、画像サイズ、撮影環境等の情報を有する）を利用することができる。
【００２２】
データベースファイルは、全てのデータファイルの属性情報が記録されたファイルで、例えば文字コードのみからなるテキストファイルとして作成される。
【００２３】
リスト作成部１０３は、データ記憶部１０１に格納されているデータベースファイルから、所定の属性情報の組み合わせに基づいて音声データと画像データを関連付けるためのリストファイルを作成する。このリストファイルを用いることにより、例えば、２００５年にリリースされた楽曲である音声データと、２００５年に撮影された写真である画像データを関連付けることや、音楽ジャンルがクラシックの楽曲である音声データと、画像解像度が２００ｄｐｉ（ｄｏｔｓ  ｐｅｒ  ｉｎｃｈ）の写真である画像データを関連付けることができる。
【００２４】
表示部１０５は、ＬＣＤ（Ｌｉｑｕｉｄ  Ｃｒｙｓｔａｌ  Ｄｉｓｐｌａｙ）を用いることができる。その場合は、表示駆動部１０４は、ＬＣＤドライバを用いる。
【００２５】
音声外部出力端子１０７は、ヘッドホン端子、スピーカー端子、光デジタル出力端子、アナログ出力端子等を用いることができる。音源部１０６は、接続される外部音声出力機器（スピーカー、ヘッドホン等）の種類に応じてこれを制御する。
【００２６】
なお、図示しないが、電子機器１００は、スピーカー等の内部音源を内蔵していてもよい。
【００２７】
制御部１０８は、ＣＰＵ、プログラムが格納されたＲＯＭ、データを一時的に記憶するＲＡＭ、インターフェース回路等を備える。また、ＣＰＵにインターフェース回路を介してユーザーの操作を受け付ける操作部が接続されていてもよい。
【００２８】
（電子機器の動作）
以下に、この第１の実施の形態に係る電子機器の動作を、データベースファイルの作成と、データファイルの再生に分けて説明する。本実施の形態では、データファイルの属性情報として、音声ファイルは楽曲のリリースされた年、画像ファイルは写真の撮影された年を用いる。
【００２９】
（データベースファイルの作成）
ユーザーが電子機器１００のデータ記憶部１０１にデータファイルを新たに記憶させたり、データ記憶部１０１内に既存のデータファイルを消去したりすることにより、データファイルの構成を変更すると、その都度、制御部１０８がデータベース作成部１０２を制御して、データベースファイルを更新させる。
【００３０】
データ記憶部１０１にデータファイルを新たに記憶させる手段として、例えば、音声データの場合は、ＣＤプレイヤー等の外部音響機器やＰＣ（Ｐｅｒｓｏｎａｌ  Ｃｏｍｐｕｔｅｒ）から、画像データの場合は、デジタルカメラやＰＣからデータ記憶部１０１へ転送することができる。
【００３１】
なお、データベースファイルに含まれる各データファイルの属性情報は、ユーザーが追加または変更を行うことができる。
【００３２】
（データファイルの再生）
図２は、本発明の第１の実施の形態に係るデータファイルの再生手順を示すフローチャートである。
【００３３】
まず、ユーザーが電子機器１００の電源を入れると（ステップＡ１）、制御部１０８がリスト作成部１０３を制御し、データ記憶部１０１に記憶されているデータベースファイルから、リストファイルを作成させる（ステップＡ２）。
【００３４】
図３は、本発明の第１の実施の形態に係るデータベースファイルとリストファイルの関係を示す概念図である。
【００３５】
同図に示すように、データベースファイルには、各データファイルの属性情報として、音声データは楽曲のリリースされた年、画像データは写真の撮影年が含まれている。リスト作成部１０３は、データベースファイルの属性情報に基づいて、音声データはリリース年毎に、画像データは撮影年毎にリストファイルを作成し、データ記憶部１０１に記録する。
【００３６】
次に、ユーザーが特定の音声データ（例えば２００５年にリリースされた楽曲）を電子機器１００に再生させる操作を行うと（ステップＡ３）、制御部１０８は、その音声データを外部音声出力機器から再生するように音源部１０６を制御し（ステップＡ４）、同時に、その音声データの属性情報である２００５年と同一年である、２００５年の画像データのリストをデータ記憶部１０１から読み出す（ステップＡ５）。
【００３７】
続いて、制御部１０８は、読み出した画像データのリストファイルに基づいて画像データを表示部１０５に表示させるように表示駆動部１０４を制御する（ステップＡ６）。
【００３８】
このとき、リストファイルに含まれる複数の画像データは、スライドショー表示形式で自動的、連続的に表示される。なお、次の画像データに切り換えるまでの１枚の画像データの表示時間、画像切り替えの際の表示効果（例えば、スライドイン、ワイプアウト等）は、ユーザーが自由に設定することができる構成であってもよい。
【００３９】
なお、リストファイルに含まれる画像データの表示が全て終了した際は、最初に表示した画像データから繰り返し表示することができる。また、リストファイルに含まれる画像データの表示順序は、ランダムに決定されるものであってもよい。
【００４０】
リストファイルは、ユーザーが電子機器１００の電源を入れる度に、毎回新規に作成されるものであるが、過去に作成されたリストファイルを保存し、再び利用することができる構成であってもよい。
【００４１】
（第１の実施の形態の効果）
この第１の実施の形態によれば、各音声データおよび各画像データの有する属性情報に基づいて、特定の音声データと画像データを自動的に関連付けることにより、ユーザーは、楽曲としての音声データを聴きながら、そのリリース年と同じ年に撮影された画像データとしての写真を自動的に表示させ、鑑賞することができる。
【００４２】
〔第２の実施の形態〕
本発明の第２の実施の形態に係る電子機器においては、リストファイルの作成されるタイミングが第１の実施の形態と異なる。なお、電子機器の構成、データベースファイルの作成手順等は、第１の実施の形態と同様であるので説明を省略する。
【００４３】
（データファイルの再生）
図４は、本発明の第２の実施の形態に係るデータファイルの再生手順を示すフローチャートである。
【００４４】
まず、ユーザーが特定の音声データ（例えば２００５年にリリースされた楽曲）を電子機器１００に再生させる操作を行うと（ステップＢ１）、制御部１０８は、その音声データを外部音声出力機器から再生するように音源部１０６を制御し（ステップＢ２）、同時に、リスト作成部１０３を制御し、データ記憶部１０１に記憶されているデータベースファイルから、その音声データの属性情報である２００５年と同一年である、２００５年の画像データのリストファイルを作成させ、データ記憶部１０１に記録する。（ステップＢ３）。
【００４５】
続いて、制御部１０８は、データ記憶部１０１から読み出した画像データのリストファイルに基づいて画像データを表示部１０５に表示させるように表示駆動部１０４を制御する（ステップＢ４）。
【００４６】
（第２の実施の形態の効果）
この第２の実施の形態によれば、ユーザーが音声データを表示してから、対応する画像データのリストのみが作成されるため、使用しない画像データのリストファイルが作成されることが無く、リストファイルの作成に費やす時間を減らすことができる。
【００４７】
〔第３の実施の形態〕
本発明の第３の実施の形態においては、第１の実施の形態において単一の音声ファイルを再生する場合について説明したのに対し、複数の音声データを自動的、連続的に再生する場合について説明する。なお、電子機器の構成、データベースファイルの作成手順等は、第１の実施の形態と同様であるので説明を省略する。
【００４８】
複数の音声データと画像データを自動的に関連付けて再生させるために、音声データのリストファイル（例えば、例えば２００５年にリリースされた楽曲のリスト）を利用し、このリストファイルに含まれる音声データを連続的に再生する。
【００４９】
音声データのリストファイルとして、例えば、２００５年、２００４年、２００３年のものが存在する場合、ユーザーはその中から利用するリストファイルを選択することができる。
【００５０】
ユーザーが２００５年を選択した場合、制御部１０８は、２００５年の音声データのリストファイル（２００５年にリリースされた楽曲で構成される）と、２００５年の画像データのリストファイル（２００５年に撮影した写真で構成される）をデータ記憶部１０１から読み出し、その音声データのリストファイルに基づいて音声データを外部音声出力機器から再生するように音源部１０６を制御し、同時に、その画像データのリストファイルに基づいてスライドショーを表示部１０５に表示させるように表示駆動部１０４を制御する。
【００５１】
（第３の実施の形態の効果）
この第３の実施の形態によれば、画像データのリストファイルを利用することにより、ユーザーは、複数の音声データを連続的に再生させる場合においても、楽曲としての音声データを聴きながら、そのリリース年と同じ年に撮影された画像データとしての写真を自動的に表示させ、鑑賞することができる。
【００５２】
〔第４の実施の形態〕
本発明の第４の実施の形態に係る電子機器は、上記各実施の形態における画像データのスライドショー表示を行う際に、音声データの特性に応じて画像切り替えのタイミングおよび効果を変化させる機能を有する。なお、電子機器の構成および基本的な動作は、第１の実施の形態と同様であるので説明を省略する。
【００５３】
具体的には、制御部１０８が再生されている音声データの波形を計測し、設定された時間内に音声波形のピーク強度が設定された以上の変化量を持って変化する（音量が変化する）時点で、画像データを切り換える。
【００５４】
ここで、画像データが切り換わる音声波形のピーク強度の変化量および変化を計る時間は、ユーザーが設定できる構成であってもよい。
【００５５】
また、曲の切り換え部分等にある無音部分を検知して画像データを切り換えることもできる。
【００５６】
なお、次の画像データに切り換えるまでの１枚の画像データの最小の表示時間をユーザーが設定することができる。
【００５７】
また、画像切り替えの際の表示効果は、ピーク強度の変化の度合い（音量の変化の度合い）に応じて変化させることができる。例えば、変化が大きい時点では派手な視覚効果を有する表示効果を用いて画面を切り換え、変化が小さい時点では静かな視覚効果を有する表示効果を用いて画面を切り換えることができる。
【００５８】
また、電子機器１００が、複数の音声データの序奏部分だけを連続的に再生するイントロ再生機能を有し、これを使用する場合には、音声データの切り換わりに合わせて画像データの表示を切り換えることができる。
【００５９】
（第４の実施の形態の効果）
この第４の実施の形態によれば、音声波形のピーク強度に応じて画像切り替えのタイミングおよび効果を変化させることにより、画像データを単調に切り換えるのではなく、音声データ毎に、それぞれの再生進行にリンクしたスライドショー表示を行うことができる。
【００６０】
なお、本発明は、上記各実施の形態に限定されず、発明の趣旨を逸脱しない範囲内において種々変形実施が可能である。例えば、上記各実施の形態においては、音声データの再生を行うと、それに合わせて対応する画像データが表示される構成になっているが、画像データの表示に合わせて対応する音声データが再生される構成であってもよい。
【００６１】
また、発明の趣旨を逸脱しない範囲内において上記各実施の形態の構成要素を任意に組み合わせることができる。
【図面の簡単な説明】
【００６２】
【図１】本発明の第１の実施の形態に係る電子機器の構成を示すブロック図である。
【図２】本発明の第１の実施の形態に係るデータファイルの再生手順を示すフローチャートである。
【図３】本発明の第１の実施の形態に係るデータベースファイルとリストファイルの関係を示す概念図である。
【図４】本発明の第２の実施の形態に係るデータファイルの再生手順を示すフローチャートである。
【符号の説明】
【００６３】
１００    電子機器
１０１    データ記憶部
１０２    データベース作成部
１０３    リスト作成部
１０４    表示駆動部
１０５    表示部
１０６    音源部
１０７    音声外部出力端子
１０８    制御部
【図１】
2007082166.tif 000003
【図２】
2007082166.tif 000004
【図３】
2007082166.tif 000005
【図４】
2007082166.tif 000006